(57)【要約】【課題】浴槽隅部のＲ形状が大きい場合にも小さい場合にも、浴室用マットを浴槽隅部に寄せて配置する際、浴槽の側壁との間に隙間が生じるのを抑制することができ、それにより、浴槽に入る際、足を滑らせ転倒してしまうのを抑制することができる浴室用マットを提供する。【解決手段】浴室用マット１０は、４つの辺部１５，１６と、４つのコーナ部１７，１８とを有している。４つの辺部１５，１６には、一対の長辺部１５と一対の短辺部１６とが含まれている。一対の短辺部１６のうち一方の短辺部１６の両端側には各コーナ部１７が形成され、他方の短辺部１６の両端側には各コーナ部１８が形成されている。各コーナ部１７，１８はいずれもＲ形状とされている。各コーナ部１７の曲率半径は各コーナ部１８の曲率半径よりも小さくなっている。【選択図】図１
2020202990.tif 000002
【特許請求の範囲】
【請求項１】
４つのコーナ部を有する略長方形状とされた浴室用マットであって、
前記４つのコーナ部にはＲ形状とされた第１コーナ部及び第２コーナ部が含まれており、
前記第１コーナ部は、その曲率半径がＲ１とされ、
前記第２コーナ部は、その曲率半径がＲ１よりも大きいＲ２とされている、浴室用マット。
【請求項２】
前記第１コーナ部及び前記第２コーナ部は互いに対角となる位置に配置されている、請求項１に記載の浴室用マット。
【請求項３】
前記第１コーナ部の曲率半径Ｒ１は２５〜５０ｍｍであり、前記第２コーナ部の曲率半径Ｒ２は７０〜１００ｍｍである、請求項１又は２に記載の浴室用マット。
【請求項４】
隣り合うコーナ部の間ごとに設けられた４つの辺部を備え、
互いに平行な２つの辺部のうち、一方の辺部の両端側にそれぞれ前記第１コーナ部が設けられ、他方の辺部の両端側にそれぞれ前記第２コーナ部が設けられている、請求項１乃至３のいずれか一項に記載の浴室用マット。
【請求項５】
前記４つの辺部には、２つの長辺部と２つの短辺部とが含まれており、
前記２つの短辺部のうち、一方の短辺部の両端側に前記第１コーナ部が設けられ、他方の短辺部の両端側に前記第２コーナ部が設けられている、請求項４に記載の浴室用マット。
【請求項６】
前記４つのコーナ部には隣り合う２つの前記第２コーナ部が含まれており、
前記各第２コーナ部は互いのＲ形状が連続して１つの円弧状凸部を形成している、請求項１乃至５のいずれか一項に記載の浴室用マット。
【発明の詳細な説明】
【技術分野】
【０００１】
本発明は、浴室用マットに関する。
【背景技術】
【０００２】
従来より、浴室で用いられる浴室用マットが知られている（例えば特許文献１参照）。浴室用マットは、洗い場の床面や浴槽の底面に敷いた状態で用いられ、一般的に長方形状とされている。これにより、浴室を利用するユーザが洗い場や浴槽内で滑って転倒するのを防止することが可能となっている。
【０００３】
浴室用マットを浴槽の底面に敷いた状態で用いる場合には、浴室用マットを浴槽内にて洗い場側に寄せて配置するのが望ましい。そうすることで、ユーザが洗い場から浴槽に入る際、足を浴室用マットの上に確実に載せることができるため、浴槽の底面で足を滑らせてしまうのを確実に防止することが可能となる。
【０００４】
また、ユーザによっては洗い場から浴槽に入る際、浴槽の隅部側から入る場合があると考えられる。このような場合には、浴室用マットを浴槽の隅部に寄せて配置することになると考えられる。
【０００５】
ここで、一般に、浴槽は、その隅部が平面視にてＲ形状（円弧状）とされている。そのため、浴室用マットを浴槽の隅部に寄せて配置するにあたっては、浴室用マットのコーナ部（角部）の形状が浴槽隅部と同じＲ形状（円弧状）とされているのが望ましい。また、浴室用マットのコーナ部について、そのＲ形状の大きさを浴槽隅部のＲ形状の大きさに合わせて形成すれば、そのコーナ部を浴槽の隅部に寄せて浴室用マットを配置した際、浴室用マットと浴槽の側壁との間に隙間が生じるのを抑制することが可能となる。そのため、この場合には、ユーザが浴槽に入る際、ユーザが上記の隙間に足を踏み入れ、その隙間（浴槽底面）で足を滑らせ転倒してしまうのを抑制することができる。
【先行技術文献】
【特許文献】
【０００６】
【特許文献１】実開平４−１２５７８２号公報
【発明の概要】
【発明が解決しようとする課題】
【０００７】
ところで、浴槽には、隅部のＲ形状が大きいものや小さいもの等、形状の異なる複数種類のものが存在する。そのため、上述したように、浴室用マットのコーナ部についてそのＲ形状の大きさ（換言すると曲率半径）を浴槽隅部のＲ形状の大きさ（換言すると曲率半径）に合わせて形成したとしても、その浴槽においては浴室用マットを浴槽隅部に寄せて配置する際、浴槽側壁との間に隙間が生じるのを抑制することができるものの、他の浴槽においては浴室用マットを浴槽隅部に寄せて配置する際、上記隙間が生じてしまうといった問題が発生することが考えられる。そのため、当該他の浴槽においては、ユーザが浴槽に入る際、上記隙間で足を滑らせ転倒してしまうことが懸念される。
【０００８】
本発明は、上記事情に鑑みてなされたものであり、浴槽隅部のＲ形状が大きい場合にも小さい場合にも、浴室用マットを浴槽隅部に寄せて配置する際、浴槽の側壁との間に隙間が生じるのを抑制することができ、それにより、浴槽に入る際、足を滑らせ転倒してしまうのを抑制することができる浴室用マットを提供することを主たる目的とするものである。
【課題を解決するための手段】
【０００９】
上記課題を解決すべく、第１の発明の浴室用マットは、４つのコーナ部を有する略長方形状とされた浴室用マットであって、前記４つのコーナ部にはＲ形状とされた第１コーナ部及び第２コーナ部が含まれており、前記第１コーナ部は、その曲率半径がＲ１とされ、前記第２コーナ部は、その曲率半径がＲ１よりも大きいＲ２とされている。
【００１０】
本発明によれば、浴槽の隅部のＲ形状（Ｒ形状の曲率半径）が小さい場合には、それに合わせて曲率半径の小さい第１コーナ部を隅部に寄せて浴室用マットを配置することができる。また、浴槽の隅部のＲ形状（Ｒ形状の曲率半径）が大きい場合には、曲率半径の大きい第２コーナ部を隅部に寄せて浴室用マットを配置することができる。これにより、浴槽隅部のＲ形状が大きい場合にも小さい場合にも、浴室用マットを浴槽隅部に寄せて配置する際、浴室用マットと浴槽の側壁との間に隙間が生じるのを抑制することができる。そのため、ユーザが浴槽へ入る際、上記隙間で足を滑らせ転倒してしまうのを抑制することができる。
【００１１】
第２の発明の浴室用マットは、第１の発明において、前記第１コーナ部及び前記第２コーナ部は互いに対角となる位置に配置されている。
【００１２】
本発明によれば、浴槽内における（洗い場側の）所定の隅部に第１コーナ部を寄せる場合と第２コーナ部を寄せる場合とで、浴室用マットを表裏反転させる必要がない。そのため、浴室用マットの使い勝手をよいものとすることができる。
【００１３】
また、浴室用マットは、その表面については肌ざわりをよくし、裏面については滑り止め加工を施したりする等、表面と裏面とで異なる特性を有して形成することがある。このような場合、浴室用マットは、その使用に際し、表裏の向きが決められた状態となっている。そのため、このような場合に、浴室用マットを表裏反転させる必要がない上記の構成はとりわけ有効となる。
【００１４】
第３の発明の浴室用マットは、第１又は第２の発明において、前記第１コーナ部の曲率半径Ｒ１は２５〜５０ｍｍであり、前記第２コーナ部の曲率半径Ｒ２は７０〜１００ｍｍである。
【００１５】
本発明によれば、市場で流通する浴槽の隅部のＲ形状の大きさに鑑みて、第１コーナ部の曲率半径を２５〜５０ｍｍとし、第２コーナ部の曲率半径を７０〜１００ｍｍとしている。これにより、市場で流通するほとんどの浴槽において、浴室用マットを隅部に寄せて配置する際、浴槽の側壁との間に隙間が生じるのを抑制することができる。
【００１６】
第４の発明の浴室用マットは、第１乃至第３のいずれかの発明において、隣り合うコーナ部の間ごとに設けられた４つの辺部を備え、互いに平行な２つの辺部のうち、一方の辺部の両端側にそれぞれ前記第１コーナ部が設けられ、他方の辺部の両端側にそれぞれ前記第２コーナ部が設けられている。
【００１７】
本発明によれば、互いに対角に位置する第１コーナ部及び第２コーナ部が２組含まれている。この場合、浴槽内における洗い場側の左右の各隅部のいずれに対して浴室用マットを寄せて配置する際にも、上記第２の発明の効果を得ることができる。すなわち、浴槽隅部に第１コーナ部を寄せる場合と第２コーナ部を寄せる場合とで浴室用マットを表裏反転させる必要がない、という効果を得ることができる。
【００１８】
第５の発明の浴室用マットは、第４の発明において、前記４つの辺部には、２つの長辺部と２つの短辺部とが含まれており、前記２つの短辺部のうち、一方の短辺部の両端側に前記第１コーナ部が設けられ、他方の短辺部の両端側に前記第２コーナ部が設けられている。
【００１９】
本発明によれば、各第１コーナ部が互いに近くに位置し、各第２コーナ部が互いに近くに位置している。その一方で、各第１コーナ部と各第２コーナ部とは互いに離れて位置している。この場合、曲率半径の異なる第１コーナ部及び第２コーナ部の位置を確認し易くすることができるため、第１コーナ部又は第２コーナ部のいずれかを浴槽の隅部に寄せて配置するに際し、その作業をし易くすることができる。
【００２０】
第６の発明の浴室用マットは、第１乃至第５のいずれかの発明において、前記４つのコーナ部には隣り合う２つの前記第２コーナ部が含まれており、前記各第２コーナ部は互いのＲ形状が連続して１つの円弧状凸部を形成している。
【００２１】
浴槽には、隣り合う各隅部のＲ形状が大きくされることでそれら各隅部のＲ形状が連続した円弧面が形成されているものがある。その点、本発明では、隣り合う２つの第２コーナ部が互いのＲ形状を連続させて１つの円弧状凸部を形成しているため、その円弧状凸部を上記円弧面に合わせて浴室用マットを配置することができる。そのため、かかる浴槽に浴室用マットを隅部に寄せて好適に配置することができる。
【図面の簡単な説明】
【００２２】
【図１】（ａ）が浴室用マットを表面側から見た図であり、（ｂ）が浴室用マットを裏面側から見た図である。
【図２】浴槽の底面に浴室用マットを配置した状態を示す平面図。
【図３】浴室用マットの別例を示す平面図。
【発明を実施するための形態】
【００２３】
以下に、本発明を具体化した一実施の形態について図面を参照しつつ説明する。なお、図１は、（ａ）が浴室用マット１０を表面側から見た図であり、（ｂ）が浴室用マット１０を裏面側から見た図である。
【００２４】
浴室用マット１０は、浴室において浴槽の底面や洗い場の床面等に敷いて用いられるものである。図１（ａ）及び（ｂ）に示すように、浴室用マット１０は、シート状のマット本体１１を備えている。マット本体１１は、平面視の形状が長方形状（矩形形状）とされ、その厚みが約３ｍｍとされている。マット本体１１は、ゴム材料により形成され、例えばＥＰＤＭ、ＳＢＲ及びＮＲを含んで形成されている。また、マット本体１１は、その外周部１１ａの表面（上面）が外側に向けて下方傾斜した傾斜面とされている。
【００２５】
マット本体１１の表面（上面）にはシボ加工が施されている。これにより、マット本体１１の表面では肌ざわりがよくされている。その一方で、マット本体１１の裏面（下面）には滑り止め構造が設けられている。図示は省略するが、マット本体１１の裏面には多数の突部が設けられ、それら多数の突部により滑り止め構造が形成されている。また、マット本体１１の裏面には、マット本体１１の長さを短くするための切断用溝１３が形成されている。この切断用溝１３に沿ってマット本体１１を切断することで、マット本体１１の長さを浴槽の大きさ等に合わせて所望の長さにすることが可能となっている。
【００２６】
続いて、マット本体１１の形状について説明する。
【００２７】
マット本体１１は、４つの辺部１５，１６と、４つのコーナ部１７，１８とを有している。４つの辺部１５，１６はいずれも直線状に延びている。４つの辺部１５，１６には、互いに平行な一対の長辺部１５と、互いに平行な一対の短辺部１６とが含まれている。また、各コーナ部１７，１８は、隣り合う辺部１５，１６同士を繋いでおり、円弧状に形成されている。したがって、各コーナ部１７，１８はいずれもＲ形状とされている。
【００２８】
４つのコーナ部１７，１８には、各短辺部１６のうち一方の短辺部１６の両端側に設けられた一対のコーナ部１７と、他方の短辺部１６の両端側に設けられた一対のコーナ部１８とが含まれている。各コーナ部１７は互いの曲率半径が同じであり、各コーナ部１８は互いの曲率半径が同じである。また、各コーナ部１７の曲率半径Ｒ１は、各コーナ部１８の曲率半径Ｒ２よりも小さくなっている（Ｒ１＜Ｒ２）。本実施形態では、コーナ部１７の曲率半径Ｒ１が３５ｍｍに設定され、コーナ部１８の曲率半径Ｒ２が９０ｍｍに設定されている。なお、各コーナ部１７がそれぞれ第１コーナ部に相当し、各コーナ部１８がそれぞれ第２コーナ部に相当する。
【００２９】
また、コーナ部１７の曲率半径Ｒ１は必ずしも３５ｍｍとする必要はないが、好ましくは２５〜５０ｍｍの範囲内とするのが望ましい。また、コーナ部１８の曲率半径Ｒ２も必ずしも９０ｍｍとする必要はないが、好ましくは７０〜１００ｍｍの範囲内とするのが望ましい。
【００３０】
上記の構成では、マット本体１１において互いに対角に位置する各コーナ部がそれぞれ曲率半径の互いに異なる各コーナ部１７，１８となっている。詳しくは、マット本体１１には、互いに対角に位置する各コーナ部が二組含まれているが、それら二組の各コーナ部がいずれも曲率半径の互いに異なる各コーナ部１７，１８となっている。
【００３１】
続いて、浴室用マット１０を浴槽内で使用する際の使用方法について図２に基づいて説明する。図２は、浴槽の底面に浴室用マット１０を配置した状態を示す平面図である。
【００３２】
まず、浴室２０内の構成について簡単に説明する。図２（ａ）及び図２（ｂ）に示すように、浴室２０には、洗い場２１と浴槽２２とが隣接して設けられている。洗い場２１には、使用者が体を洗う際に座るシャワーベンチ２３が設置されている。浴槽２２は、その浴槽２２内を囲む側壁２４を有しており、その平面視の形状が長方形状とされている。また、浴槽２２は、その浴槽２２内の隅部２５の形状が平面視にてＲ形状（円弧状）とされている。
【００３３】
図２（ａ）と図２（ｂ）とでは、浴槽２２の隅部２５のＲ形状の大きさが互いに異なっている。図２（ａ）の浴槽２２では、隅部２５のＲ形状（Ｒ形状の曲率半径）が比較的大きくなっており、図２（ｂ）の浴槽２２では、隅部２５のＲ形状（Ｒ形状の曲率半径）が比較的小さくなっている。そこで、以下では、それら各浴槽２２を区別するため、図２（ａ）の浴槽２２を浴槽２２Ａといい、図２（ｂ）の浴槽２２を浴槽２２Ｂという。
【００３４】
続いて、浴室用マット１０の使用方法について説明する。浴室用マット１０は、浴槽２２（２２Ａ，２２Ｂ）の底面２６に敷いた状態で配置される。この場合、浴室用マット１０は、その長辺方向を浴槽２２Ａ，２２Ｂの長辺方向と同じ方向に向けた状態で配置される。また、浴室用マット１０は、浴槽２２Ａ，２２Ｂ内において洗い場２１側に寄せた状態で配置される。特に、ここでは、ユーザがシャワーベンチ２３から立ち上がって浴槽２２Ａ，２２Ｂに隅部２５側から入ることを想定しており、そのため、浴室用マット１０は、その隅部２５（洗い場２１側の隅部２５）に寄せた状態で配置される。
【００３５】
浴室用マット１０が図２（ａ）の浴槽２２Ａにおいて隅部２５に寄せて配置される際には、その隅部２５のＲ形状が大きくされているため、それに合わせて、曲率半径が大きいコーナ部１８を当該隅部２５に寄せて配置される。この場合、浴室用マット１０と浴槽２２Ａの側壁２４との間に隙間が生じるのを抑制することができる。
【００３６】
また、浴室用マット１０が図２（ｂ）の浴槽２２Ｂにおいて隅部２５に寄せて配置される際には、その隅部２５のＲ形状が小さくされているため、それに合わせて、曲率半径が小さいコーナ部１７を当該隅部２５に寄せて配置される。この場合にも、浴室用マット１０と浴槽２２Ｂの側壁２４との間に隙間が生じるのを抑制することができる。
【００３７】
これにより、本浴室用マット１０によれば、浴槽２２の隅部２５のＲ形状が大きい場合にも小さい場合にも、浴室用マット１０を浴槽２２の隅部２５に寄せて配置する際、浴室用マット１０と浴槽２２の側壁２４との間に隙間が生じるのを抑制することができる。そのため、ユーザが浴槽２２へ入る際、上記隙間で足を滑らせ転倒してしまうのを抑制することができる。
【００３８】
以上、詳述した本実施形態の構成によれば、以下の優れた効果が得られる。
【００３９】
曲率半径の異なる各コーナ部１７，１８を互いに対角に位置するよう配置した。この場合、浴槽２２内における（洗い場２１側の）所定の隅部２５にコーナ部１７を寄せる場合とコーナ部１８を寄せる場合とで、浴室用マット１０を表裏反転させる必要がなく、浴室用マット１０の使い勝手をよいものとすることができる。
【００４０】
また、浴室用マット１０には、その表面にシボ加工が施されることで肌ざわりがよくされている一方で、裏面には滑り止め構造が設けられている。そのため、浴室用マット１０は、その使用に際し、表裏の向きが決められている。したがって、かかる浴室用マット１０において、表裏反転させる必要がない上述の構成はとりわけ有効となる。
【００４１】
曲率半径の異なる各（一対の）コーナ部１７，１８を二組設け、それら二組の各コーナ部１７，１８ともに互いに対角に位置するよう配置した。この場合、浴槽２２内における洗い場２１側の左右の各隅部２５のいずれに対して浴室用マット１０を寄せて配置する際にも、隅部２５にコーナ部１７を寄せる場合とコーナ部１８を寄せる場合とで、表裏の反転が不要であるという上述の効果を得ることができる。
【００４２】
２つの短辺部１６のうち一方の短辺部１６の両端側に曲率半径の小さい各コーナ部１７を設け、他方の短辺部１６の両端側に曲率半径の大きい各コーナ部１８を設けた。この場合、各コーナ部１７が互いに近くに位置し、各コーナ部１８が互いに近くに位置する一方で、各コーナ部１７と各コーナ部１８とは互いに離れて位置している。このため、曲率半径の異なる各コーナ部１７，１８の位置を確認し易くすることができる。これにより、コーナ部１７又はコーナ部１８のいずれかを浴槽２２の隅部２５に寄せて浴室用マット１０を配置する際、その作業をし易くすることができる。
【００４３】
本発明は上記実施形態に限らず、例えば次のように実施されてもよい。
【００４４】
・浴室用マット１０（マット本体１１）の平面視形状は必ずしも上記実施形態のものに限定されない。そこで、以下では、平面視形状の異なる複数種類の浴室用マットについて、図３（ａ）〜（ｅ）に基づいて説明する。
【００４５】
図３（ａ）に示す浴室用マット３０では、各長辺部３３のうち一方の長辺部３３の両端側に形成された各コーナ部３４の曲率半径がいずれも同じとされ、他方の長辺部３３の両端側に形成された各コーナ部３５の曲率半径がいずれも同じとされている。また、各コーナ部３４の曲率半径は各コーナ部３５の曲率半径よりも小さくされている。この場合、各コーナ部３４が第１コーナ部に相当し、各コーナ部３５が第２コーナ部に相当する。
【００４６】
かかる構成によれば、曲率半径の異なる各コーナ部３４，３５が浴室用マット３０の対角に位置するため、浴槽２２内における（洗い場２１側の）所定の隅部２５に各コーナ部３４，３５のいずれを寄せて浴室用マット３０を配置する際も、表裏を同じ向きにして配置することができる。そのため、所定の隅部２５にコーナ部３４を寄せる場合とコーナ部３５を寄せる場合とで浴室用マット３０を反転させる必要がなく使い勝手がよい。また、詳しくは、対角に位置する曲率半径違いのコーナ部３４，３５が二組存在するため、浴槽２２内における洗い場２１側の各隅部２５のいずれに浴室用マット３０を寄せて配置する際にも、反転不要という上述の効果を得ることができる。
【００４７】
・図３（ｂ）に示す浴室用マット４０では、曲率半径の小さいコーナ部４３が３つ形成され、曲率半径の大きいコーナ部４４が１つだけ形成されている。この場合、各コーナ部４３が第１コーナ部に相当し、コーナ部４４が第２コーナ部に相当する。
【００４８】
かかる構成においても、浴槽２２の隅部２５のＲ形状の大きさに応じて、コーナ部４３又はコーナ部４４を隅部２５に寄せて浴室用マット４０を配置することができる。そのため、浴槽隅部２５のＲ形状が大きい場合にも小さい場合にも、隅部２５に寄せて浴室用マット４０を配置する際、浴槽２２の側壁２４との間に隙間が生じるのを抑制することができる。
【００４９】
また、上記の構成に代えて、曲率半径の小さいコーナ部を１つだけ形成し、曲率半径の大きいコーナ部を３つ形成するようにしてもよい。
【００５０】
・図３（ｃ）に示す浴室用マット５０では、曲率半径が同じとされた２つのコーナ部５３が互いに対角に位置している。また、曲率半径が同じとされた２つのコーナ部５４が互いに対角に位置している。各コーナ部５３は各コーナ部５４よりも曲率半径が小さくされている。この場合、各コーナ部５３が第１コーナ部に相当し、各コーナ部５４が第２コーナ部に相当する。
【００５１】
かかる構成においても、浴槽２２の隅部２５のＲ形状の大きさに応じて、コーナ部５３又はコーナ部５４を隅部２５に寄せて浴室用マット５０を配置することができる。そのため、隅部２５のＲ形状が大きい場合にも小さい場合にも、隅部２５に寄せて浴室用マット５０を配置する際、浴槽２２の側壁２４との間に隙間が生じるのを抑制することができる。ただし、本例の構成では、浴槽２２における所定の隅部２５にコーナ部５３を寄せる場合とコーナ部５４を寄せる場合とで、浴室用マット５０を反転させる必要が生じうる。そのため、かかる点を鑑みると、上記実施形態のように、曲率半径違いの各コーナ部１７，１８を互いに対角に配置するのが望ましい。
【００５２】
・図３（ｄ）に示す浴室用マット６０では、曲率半径が小さい２つのコーナ部６３が互いに隣り合って設けられ、曲率半径が大きい２つのコーナ部６４が互いに隣り合って設けられている。また、曲率半径が大きい２つのコーナ部６４は互いのＲ形状が連続して１つの円弧状凸部６５を形成している。この場合、円弧状凸部６５は半円状をなしている。なお、この場合、各コーナ部６３が第１コーナ部に相当し、各コーナ部６４が第２コーナ部に相当する。
【００５３】
ここで、浴槽には、隣り合う各隅部のＲ形状が大きくされることでそれら各隅部のＲ形状が連続した円弧面が形成されているものがある。このような浴槽において、上記の浴室用マット６０を用いれば、その円弧状凸部６５を浴槽の円弧面に合わせて浴室用マット６０を配置することができる。そのため、かかる浴槽に浴室用マット６０を隅部に寄せて配置する際、好適に配置することが可能となる。
【００５４】
・図３（ｅ）に示す浴室用マット７０は、そのコーナ部の形状が概ね図３（ｄ）の浴室用マット６０と同様の形状となっている。その一方で、図３（ｅ）に示す浴室用マット７０では、上記浴室用マット６０と異なり、長辺部７３と短辺部７４とが円弧状に延びている。この場合、長辺部７３と短辺部７４とはいずれも浴室用マット７０の内側に向けて凸となる円弧状をなしている。
【００５５】
かかる構成によれば、浴槽の内側面が浴槽内側に向けて凸となる円弧面とされている場合に、円弧状をなす長辺部７３や短辺部７４を上記円弧面に合わせて浴室用マット７０を配置することができる。そのため、かかる浴槽に浴室用マット７０を浴槽の隅部に寄せて配置する際、浴室用マット７０と浴槽の側壁との間に隙間が生じるのを好適に抑制することができる。
【００５６】
なお、上記の構成に代えて、長辺部７３と短辺部７４とを浴室用マット７０の外側に向けて凸となる円弧状に形成してもよい。浴槽には、その内側面が浴槽外側に向けて凸となる円弧面とされているものもあり、このような浴槽に対してはかかる浴室用マットを配置するのが望ましい。
【００５７】
・上記実施形態では、４つのコーナ部をいずれもＲ形状としたが、４つのコーナ部のうち２つ又は３つのコーナ部だけをＲ形状とし、残りのコーナ部についてはＲ形状とせず直角形状とするようにしてもよい。この場合、Ｒ形状とされた２つ又は３つのコーナ部のうちいずれかのコーナ部を曲率半径の小さい第１コーナ部とし、残りのコーナ部を曲率半径の大きい第２コーナ部とすればよい。
【００５８】
・上記実施形態では、４つのコーナ部に、曲率半径が互いに異なる２種類のコーナ部１７，１８を含めるようにしたが、４つのコーナ部に、曲率半径が互いに異なる３種類のコーナ部を含めるようにしてもよい。例えば、４つのコーナ部に、曲率半径の小さい第１コーナ部と、曲率半径の大きい第２コーナ部とに加え、その第２コーナ部よりも曲率半径の大きい第３コーナ部を含めることが考えられる。この場合、曲率半径が互いに異なる３種類のコーナ部が存在することになるため、浴槽２２の隅部２５のＲ形状の大きさにより一層対応し易くすることができる。
【００５９】
また、４つのコーナ部それぞれの曲率半径を互いに異ならせる構成としてもよい。その場合、浴槽２２の隅部２５のＲ形状の大きさにさらに対応し易くすることができる。
【符号の説明】
【００６０】
１０…浴室用マット、１１…マット本体、１５…長辺部、１６…短辺部、１７…コーナ部、１８…コーナ部。
【図１】
2020202990.tif 000003
【図２】
2020202990.tif 000004
【図３】
2020202990.tif 000005